(57)【要約】【課題】一端側にプラグを有する細長い形状の取付具本体を配線ダクトに取り付けたときに、取付具本体の自重で他端側が下がるのを防ぐ。【解決手段】本発明の取付具１は、取付具本体１０の上面に、レバー３を一定の角度範囲内で回動させうる案内用凹部１２が設けられ、レバー３が、その下面を案内用凹部１２の底面に沿わせて、プラグ２の抜け出し位置から係合位置までの角度範囲で回動しうるように保持されるとともに、案内用凹部１２の底面に、プラグ２の係合位置にかけて徐々に高くなるテーパ面状の隆起部１５が形成され、プラグ２の係合位置では、レバー３の下面が隆起部１５に乗り上げて、レバー３の頂面が配線ダクト９の下面を下側から突っ張ることにより、取付具本体１０の他端側を押し上げるように構成される。【選択図】図２
2008027755.tif 000002
【特許請求の範囲】
【請求項１】
取付具本体の長手方向一端側に回動自在に設けられたプラグと、該プラグに結合されて取付具本体の外側まで延出されたレバーとを備え、取付具本体を配線ダクトの下面に当接させた状態でレバーを回動させることにより、プラグが配線ダクトの受け口に係脱される配線ダクト用の取付具において、
取付具本体の上面には、上記レバーを一定の角度範囲内で回動させうる上面視略扇形の案内用凹部が設けられ、レバーは、その下面を上記案内用凹部の底面に沿わせて、プラグの抜け出し位置から係合位置までの角度範囲で回動しうるように保持されるとともに、
プラグの係合位置に対応する上記案内用凹部の底面に隆起部が形成され、プラグの抜け出し位置では、レバーの頂面が取付具本体の配線ダクトに対する取付基準面よりも高くならないように保持される一方、プラグの係合位置では、レバーの下面が上記隆起部に乗り上げ、レバーの頂面が上記取付基準面よりも上昇して配線ダクトの下面を下側から突っ張ることにより、取付具本体の他端側を押し上げることを特徴とする配線ダクト用の取付具。
【請求項２】
取付具本体の長手方向一端側に回動自在に設けられたプラグと、該プラグに結合されて取付具本体の外側まで延出されたレバーとを備え、取付具本体を配線ダクトの下面に当接させた状態でレバーを回動させることにより、プラグが配線ダクトの受け口に係脱される配線ダクト用の取付具において、
取付具本体の上面には、上記レバーを一定の角度範囲内で回動させうる上面視略扇形の案内用凹部が設けられ、レバーは、その下面を上記案内用凹部の底面に沿わせて、プラグの抜け出し位置から係合位置までの角度範囲で回動しうるように保持されるとともに、
プラグの係合位置に対応する上記案内用凹部の底面に隆起部が形成され、プラグの係合位置では、レバーの下面が上記隆起部に乗り上げつつ、レバーの一部が配線ダクトの接地側表示突条の下面を下側から突っ張ることにより、取付具本体の他端側を押し上げることを特徴とする配線ダクト用の取付具。
【請求項３】
請求項１または２に記載の配線ダクト用の取付具において、案内用凹部の底面に形成される隆起部は、レバーの回動角度範囲の略中間部からプラグの係合位置にかけて徐々に高くなるテーパ面状またはテーパリブ状をなすことを特徴とする配線ダクト用の取付具。
【請求項４】
請求項１または２に記載の配線ダクト用の取付具において、案内用凹部の底面に形成される隆起部は、略半球状または略円錐台形状をなすことを特徴とする配線ダクト用の取付具。
【発明の詳細な説明】
【技術分野】
【０００１】
本発明は、配線ダクトに沿って照明器具などを着脱自在に取り付けるための取付具に関する。
【背景技術】
【０００２】
絶縁物で支持した導体を略溝形断面のダクトレールの内側に配設し、下面側の開口をプラグ着脱用の受け口とした配線ダクト（ライティングダクト）の基本的な仕様が、ＪＩＳ  Ｃ  ８３６６に定められている。この種の配線ダクトに対応する照明器具等の取付具として、特許文献１及び２記載のものが知られている。
【０００３】
特許文献１記載の取付具は、取付具本体を細長く形成して、その内部に変圧手段を設けたものである。配線ダクトと取付具とを係脱するためのプラグは、取付具本体の長手方向一端側に設けられ、レバーの回動操作によって係脱される。
【０００４】
特許文献２記載の取付具は、上記特許文献１記載のような細長い形状の取付具を配線ダクトに取り付けたとき、取付具の自重で他端側（プラグが設けられていない側）が下がって配線ダクトとの間に隙間が生じるので、それを防ぐ手段をレバーに設けたものである。レバーの上面には、取付具本体の配線ダクト取付面（配線ダクトの下面に当接する取付基準面）よりもわずかに低い挿入ガイド部と、配線ダクト取付面よりもわずかに高い押上部とが設けられ、レバーを配線ダクトと係合する位置まで回動させたときに、押上部が配線ダクトの下面を下側から突っ張って、取付具の他端側を押し上げるように構成されている。
【特許文献１】実開昭６２−１４２１８５号公報
【特許文献２】特開２０００−３４８５２９号公報
【発明の開示】
【発明が解決しようとする課題】
【０００５】
本発明は、上記特許文献２記載の発明と同様に、一端側にプラグを有する細長い形状の取付具を配線ダクトに取り付けたとき、取付具本体の自重で他端側が下がるのを防ぐことを目的とするもので、上記特許文献２記載の発明とは異なる構成の係脱機構を備えた配線ダクト用の取付具を提供することを解決課題とする。
【課題を解決するための手段】
【０００６】
本発明の配線ダクト用の取付具は、取付具本体の長手方向一端側に回動自在に設けられたプラグと、該プラグに結合されて取付具本体の外側まで延出されたレバーとを備え、取付具本体を配線ダクトの下面に当接させた状態でレバーを回動させることにより、プラグが配線ダクトの受け口に係脱される配線ダクト用の取付具において、取付具本体の上面には、上記レバーを一定の角度範囲内で回動させうる上面視略扇形の案内用凹部が設けられ、レバーは、その下面を上記案内用凹部の底面に沿わせて、プラグの抜け出し位置から係合位置までの角度範囲で回動しうるように保持されるとともに、プラグの係合位置に対応する上記案内用凹部の底面に隆起部が形成され、プラグの抜け出し位置では、レバーの頂面が取付具本体の配線ダクトに対する取付基準面よりも高くならないように保持される一方、プラグの係合位置では、レバーの下面が上記隆起部に乗り上げ、レバーの頂面が上記取付基準面よりも上昇して配線ダクトの下面を下側から突っ張ることにより、取付具本体の他端側を押し上げることを特徴とする。
【０００７】
また、本発明の他の構成にかかる配線ダクト用の取付具は、取付具本体の長手方向一端側に回動自在に設けられたプラグと、該プラグに結合されて取付具本体の外側まで延出されたレバーとを備え、取付具本体を配線ダクトの下面に当接させた状態でレバーを回動させることにより、プラグが配線ダクトの受け口に係脱される配線ダクト用の取付具において、取付具本体の上面には、上記レバーを一定の角度範囲内で回動させうる上面視略扇形の案内用凹部が設けられ、レバーは、その下面を上記案内用凹部の底面に沿わせて、プラグの抜け出し位置から係合位置までの角度範囲で回動しうるように保持されるとともに、プラグの係合位置に対応する上記案内用凹部の底面に隆起部が形成され、プラグの係合位置では、レバーの下面が上記隆起部に乗り上げつつ、レバーの一部が配線ダクトの接地側表示突条の下面を下側から突っ張ることにより、取付具本体の他端側を押し上げることを特徴とする。
【０００８】
さらに、本発明の配線ダクト用の取付具は、上記構成における隆起部が、レバーの回動角度範囲の略中間部からプラグの係合位置にかけて徐々に高くなるテーパ面状またはテーパリブ状か、あるいは略半球状または略円錐台形状をなすことを特徴とする。
【発明の効果】
【０００９】
本発明の配線ダクト用の取付具は、レバーが、プラグの係合位置で案内用凹部の隆起部に乗り上げ、配線ダクトの下面または接地側表示突条に突っ張り状態で押し当てられることにより、取付具本体の他端側を押し上げて、配線ダクトとの間に隙間が生じるのを防ぐように構成されている。このレバーは、プラグの抜け出し位置においては隆起部から離れ、隆起部の高さ分だけ下降するから、配線ダクトに引っ掛かったりすることもなく、取付具本体を無理なく配線ダクトの下面に密着させることができる。また、隆起部は、レバーの回動角度範囲の略中間部からプラグの係合位置にかけて徐々に高くなるテーパ面状またはテーパリブ状か、あるいは略半球状または略円錐台形状に形成されているので、レバーの回動操作も無理なく行うことができる。
【発明を実施するための最良の形態】
【００１０】
以下、本発明の実施の形態について図を参照して説明する。
【実施例１】
【００１１】
図１〜図６は本発明の第一実施例に係る配線ダクト用の取付具１を示す。この取付具１は、細長い取付具本体１０の長手方向一端（図１における左端）側に、配線ダクト９に係脱するプラグ２と、該プラグ２を回動操作するためのレバー３とを備え、プラグ２の回転軸が取付具１の下方に延びて、その下端に灯具４が首振り可能に取り付けられている。したがって、配線ダクト９に取り付けられた状態では、取付具１及び灯具４の自重が、プラグ２を支点にして、取付具本体１０の他端（図１における右端）側を下げる方向へと作用する。
【００１２】
配線ダクト９は、図４にその断面を示すように、下向きに開口した略溝形の断面形状をなし、相対する一対のリップ部９１によって挟まれた部分が受け口となっている。両側壁部９２の内側には導体支持部９３が向かい合うように突設されて、その先端に導体９４が配設されている。また、片側のリップ部９１の外側縁に沿って、接地側表示突条９５が下向きに突設されている。
【００１３】
プラグ２は、配線ダクト９の受け口に挿入される略円柱状の軸体２１と、軸体２１の上部近傍から互いに反対方向に突出する一対の栓刃２２と、栓刃２２よりも低い位置から栓刃２２と同方向に張り出す一対の係合片２３とを備える。軸体２１を回動させて、栓刃２２及び係合片２３を取付具本体１０の長手方向に直交させると、係合片２３が配線ダクト９のリップ部９１に係合し、同時に栓刃２２が導体９４に接触して給電可能になる。係合片２３の幅は配線ダクト９の受け口の幅よりもやや小さく形成され、栓刃２２及び係合片２３を取付具本体１０の長手方向に向けると、プラグ２が抜け出し可能になる。
【００１４】
レバー３は、プラグ２の軸体２１よりも大径の円柱状をなす基部３１を有し、この基部３１がプラグ２の軸部と一体的に結合される。基部３１の上面と係合片２３との間隔は、配線ダクト９のリップ部９１の厚みにほぼ合致している。基部３１の上面よりもやや低い位置から側方に突出したアーム３２は、取付具本体１０の外側まで延出され、その先端に指掛部３３が設けられている。指掛部３３の上面には、略円柱状の圧接突起３４が突出している。圧接突起３４の頂面の高さは基部３１の上面と同じ高さに揃えられている。
【００１５】
取付具本体１０の上面には、取付具本体１０の一端側に開口する上面視略扇形の案内用凹部１２が設けられている。レバー３は、アーム３２の下面を案内用凹部１２の底面に沿わせて略水平に回動する。例示の形態にかかる案内用凹部１２は、取付具本体１０の長軸方向に対して両側に略４５度ずつ拡がるように形成され、プラグ２の抜け出し位置（図３、図５）から係合位置（図２、図４）まで、約９０度の範囲で回動する。また、取付具本体１０の上面には、長手方向に延びる突部１３が形成され、この突部１３が配線ダクト９の受け口に嵌まり込むとともに、取付具本体１０の片側縁部に形成された角欠部１４が配線ダクト９の接地側表示突条９５と係合して、取付具本体１０の横ズレを防ぐ。
【００１６】
本発明の要部は、案内用凹部１２にある。すなわち、案内用凹部１２の底面には、レバー３の回動範囲の略中間部からプラグ２の係合位置側にかけて徐々に高くなるテーパ面状の隆起部１５が形成されている。隆起部１５は、案内用凹部１２の周方向に沿って帯状に、具体的には０．５ｍｍ程度、盛り上がっている。
【００１７】
レバー３がプラグ２の抜け出し位置（図３、図５）にあるとき、基部３１の上面及び圧接突起３４の頂面の高さは、配線ダクト９のリップ部９１に対する取付具本体１０の当接面（取付基準面１１）と同じか、それよりも微小寸法だけ低くなるように保持される。プラグ２を配線ダクト９の受け口に挿入して、レバー３をプラグ２の係合位置（図２、図４）へと回動させると、プラグ２の係合片２３が配線ダクト９のリップ部９１に半分程度係合したところから、レバー３のアーム３２が案内用凹部１２の隆起部１５に乗り上げる。そして、レバー３が完全な係合位置まで回動した状態では、隆起部１５に乗り上げて取付基準面１１よりも上方に突出したレバー３の圧接突起３４が、リップ部９１の下面に突っ張り状態で押し当てられ、その反力で取付具本体１０の一端側を下方に押し下げる。図１において、圧接突起３４はプラグ２よりも左側に位置するので、取付具本体１０の一端（図示左端）側が押し下げられることにより、他端（図示右端）側が持ち上げられ、配線ダクト９と取付具本体１０との間に隙間が生じなくなる。
【実施例２】
【００１８】
図７〜図８は本発明の第二実施例に係る配線ダクト用の取付具を示す。配線ダクト９の構成や、取付具本体１０の全体的構成及びプラグ２の構成は、上記第一実施例と同様である。
【００１９】
この実施例では、案内用凹部１２が、取付具本体１０の長軸方向に直交する方向から、取付具本体１０の長軸方向と平行になる位置まで、略９０度拡がるように形成されている。レバー３は、略円柱状の基部３１から延出したアーム３２と、アーム３２の先端に設けられた指掛部３３と、指掛部３３の側方に張り出した圧接突片３５とを有し、基部３１、アーム３２、指掛部３３、圧接突片３５の頂面が同じ高さに揃えられている。
【００２０】
レバー３のアーム３２が案内用凹部１２の底面に沿って回動するのは、上記第一実施例と同様である。この実施例では、レバー３が取付具本体１０の長軸方向と直交する位置がプラグ２の抜け出し位置（図７）となり、レバー３が取付具本体１０の長軸方向と平行になる位置がプラグ２の係合位置（図８）となる。レバー３２を持ち上げる隆起部１５は、
上記第一実施例にかかる隆起部１５よりも幅の細いテーパリブ状をなし、レバー３の回動範囲の略中間部からプラグ２の係合位置側にかけて徐々に高くなるように形成されている。
【００２１】
レバー３がプラグ２の抜け出し位置（図７）にあるとき、レバー３全体の頂面の高さは、取付基準面１１と同じか、それよりも微小寸法だけ低くなるように保持される。プラグ２を配線ダクト９の受け口に挿入して、レバー３をプラグ２の係合位置（図８）へと回動させると、レバー３のアーム３２が案内用凹部１２の隆起部１５に乗り上げて、レバー３全体が取付基準面１１よりも上方に押し上げられ、指掛部３３の側方に張り出した圧接突片３５が片側のリップ部９１の下面に突っ張り状態で押し当てられる。これにより、上記第一実施例と同様に、取付具本体１０の他端側が持ち上げられる。
【実施例３】
【００２２】
図９は本発明の第三実施例に係る配線ダクト用の取付具を示す。この実施例にかかる案内用凹部１２と、その底面に形成される隆起部１５は第一実施例と同様である。レバー３の形状も第一実施例とほぼ同様であるが、この実施例では指掛部３３の上面に圧接突起３４が突出せず、指掛部３３の頂面が平坦に形成されている。
【００２３】
レバー３をプラグ２の係合位置（図９）へと回動させると、レバー３のアーム３２が隆起部１５に乗り上げつつ、指掛部３３の頂面が、配線ダクト９の片側縁に突設された接地側表示突条９５の下面に押し当てられる。こうして、接地側表示突条９５の下面を下側から突っ張る構造によっても、取付具本体の他端側を押し上げることができる。
【００２４】
上記各実施例によって説明したように、本発明の配線ダクト用の取付具は、レバー３をプラグ２の係合位置まで回動させたとき、レバー３の底面の一部が、取付具本体１０側に形成された隆起部１５に乗り上げて、レバー３の頂面の一部と配線ダクト９との間に突っ張り力を生じ、レバー３がプラグ２の抜け出し位置にあるときには、レバー３が隆起部１５から離れるように構成されている。したがって、特許文献２に記載された取付具と比較すると、特許部件２記載の取付具では、レバーの一部（押上部）が常に取付具本体の取付基準面よりも上方に突出するので、配線ダクトへの着脱及びレバーの回動操作に際して上記突出部分が配線ダクトの下面に引っ掛かり、レバーの回動操作に支障をきたすおそれがあるのに対し、本発明の取付具１は、プラグ２の係合位置においてのみレバー３が持ち上がるので、レバー３の回動操作を円滑に行うことができるという利点を有する。また、特許文献２記載の取付具では、レバーの一部が取付具本体よりも上方に突出するので、このレバーをプラグの係合位置まで押し込んだときに、レバーのアームに無理な捻りや曲げ応力が生じやすいのに対し、本発明の取付具１は、レバー３が配線ダクト９と隆起部１５との間に上下から挟まれるようにして突っ張り力を発揮するので、レバー３のアーム３２に無理な捻りや曲げ応力が生じにくく、アーム３２が細くても破損しにくいという利点がある。
【００２５】
なお、本発明の実施に際しては、本発明の要旨を逸脱しない範囲で、取付具本体１０の全体形状やプラグ２の形状を適宜変更することができる。レバー３については、その下面が取付具本体１０側に形成された隆起部１５に乗り上げて、その頂面の一部が配線ダクト９に押し当てられるものである限り、アーム３２や指掛部３３、圧接突起３４、圧接突片３５等の形状は適宜変更可能である。隆起部１５の形状についても、レバー３の形状に応じて、レバー３を円滑に持ち上げうる形状を適宜選択することが可能である。レバー３の回動方向において隆起部１５が作用する角度範囲を短縮し、テーパ部分を短くしたり、あるいは略半球状または略円錐台形状の隆起部１５とすることもできる。
【図面の簡単な説明】
【００２６】
【図１】本発明の第一実施例に係る取付具を配線ダクトに取り付けた状態を示す側面図である。
【図２】上記取付具の上面斜視図であって、レバーがプラグの係合位置にある状態を示す。
【図３】同じく、上記取付具の上面斜視図であって、レバーがプラグの抜け出し位置にある状態を示す。
【図４】上記取付具をレバー側から見た正面図であって、レバーがプラグの係合位置にある状態を示す。
【図５】同じく、上記取付具をレバー側から見た正面図であって、レバーがプラグの抜け出し位置にある状態を示す。
【図６】上記取付具におけるプラグ及びレバーの形態を示す部分上面図である。
【図７】本発明の第二実施例に係る取付具の部分上面斜視図であって、レバーがプラグの抜け出し位置にある状態を示す。
【図８】上記取付具をレバー側から見た正面図であって、レバーがプラグの係合位置にある状態を示す。
【図９】本発明の第三実施例に係る取付具の正面図であって、レバーがプラグの係合位置にある状態を示す。
【符号の説明】
【００２７】
１    取付具
１０  取付具本体
１１  取付基準面
１２  案内用凹部
１５  隆起部
２    プラグ
３    レバー
３４  圧接突起
３５  圧接突片
９    配線ダクト
９５  接地側表示突条
【図１】
2008027755.tif 000003
【図２】
2008027755.tif 000004
【図３】
2008027755.tif 000005
【図４】
2008027755.tif 000006
【図５】
2008027755.tif 000007
【図６】
2008027755.tif 000008
【図７】
2008027755.tif 000009
【図８】
2008027755.tif 000010
【図９】
2008027755.tif 000011